(57)【要約】  シート部、及び、連続的に配置された様々な直径を持つリングを含む入れ子式側壁を含む、折り畳み可能な椅子である。最上部のリングは、シート部の下面に取り付けられ、最小の直径を有している。最下部のリングは最大の直径を有している。展開位置において、入れ子式側壁は、椅子の所望の高さを設定及びロックするために開放され、又は部分的に折り畳まれる。完全に収縮した位置において、全てのリングがシート部の下面に隣接して配置される。各リングは、隣接するリングにリングを選択的にロックするロック構造で構成された一体型ユニットである。幾つかの実施形態において、様々な直径のリングにほぼ垂直な椅子の高さに沿って中心に配置されるセキュリティーロックは、ロック構造を固定する。机は、脚体として折り畳み可能な椅子を使用し、且つ、幾つか、例えば４つの折り畳み可能な椅子を収納することができる。【選択図】図１
2020527056.tif 000002
【特許請求の範囲】
【請求項１】
折り畳み可能な椅子であって、該折り畳み可能な椅子は：
シート部；
シート部から下方へ伸びる入れ子式側壁であって、該入れ子式側壁は、異なる直径の複数のリングを含み、最上部のリングがシート部の底面に取り付けられ且つ最小の直径を有し、及び最下部のリングが最大の直径を有するように、連続的に配置されており、前記入れ子式側壁は、椅子が所望の高さに設定され且つロックされるように、完全に開いている或いは部分的に折り畳まれる展開位置と、完全に収縮した位置において全てのリングがシート部の底面に隣接して配置される収縮位置とを有するように構成され、ここでリングの各々は、隣接するリングに対して選択的に各リングをロックする、ロック構造を備えて構成された一体型ユニットである、入れ子式側壁；及び
異なる直径のリングに対しほぼ垂直である折り畳み可能な椅子の高さに沿って中心に配置されたセキュリティーロックであって、ロック構造を固定するように構成される、セキュリティーロック
を含むことを特徴とする、折り畳み可能な椅子。
【請求項２】
前記セキュリティーロックは、前記折り畳み可能な椅子の高さにわたってバネ内に中心的に配置され、且つ展開位置と収縮位置の両方において前記シート部を前記最下部のリングに接続する、可撓性ケーブルを含んでおり、前記最下部のリングは、アクチュエーターを作動させるユーザーが前記可撓性ケーブルに対する圧力を解放することにより前記セキュリティーロックを解除するように、ユーザーにアクセス可能なアクチュエーターを有している、ことを特徴とする請求項１に記載の折り畳み可能な椅子。
【請求項３】
前記アクチュエーターは前記可撓性ケーブルを張るカプラーを動かすように構成され、或いは、前記アクチュエーターは前記可撓性ケーブルをねじる、ことを特徴とする請求項２に記載の折り畳み可能な椅子。
【請求項４】
前記展開位置において、前記リングは互いに対してロックされ、これにより折り畳み可能な椅子の高さを連続的に伸ばし、一方で収縮位置において、リングはロックを解除され、前記椅子部分の下面の方へと折り畳み可能となる、ことを特徴とする請求項１に記載の折り畳み可能な椅子。
【請求項５】
前記ロック構造は、最上部のリングを除く各リングに関して、ピンが隣接するリング上で対応する溝に嵌合するように、リングの各々の上にピン及び溝を含む、ことを特徴とする請求項１に記載の折り畳み可能な椅子。
【請求項６】
前記溝は前記リングの高さに沿って伸び、且つアーチ形のセグメントを含んでおり、ここで、前記隣接するリングの前記ピンは、前記溝に沿って前記アーチ形のセグメントの中と外を摺動するように構成される、ことを特徴とする請求項５に記載の折り畳み可能な椅子。
【請求項７】
最上部のリングは前記ピンを含むが、スロットを含まない、ことを特徴とする請求項５に記載の折り畳み可能な椅子。
【請求項８】
前記ピンは前記アーチ形のセグメント中に配置され、２つの隣接するリングを互いに対してロックし、隣接するリングに対して横方向の第１のリングの回転により、前記ピンは前記アーチ形のセグメントから摺動し、第１のリングのロックを解除し、ここで、前記溝に沿った前記ピンの更なる摺動により第１のリングが折り畳まれる、ことを特徴とする請求項５に記載の折り畳み可能な椅子。
【請求項９】
前記リングを互いに対して回転させ、それによりロック構造を解除するための作動機構を更に含んでおり、ここで、前記作動機構は、最上部のリングに連結されたシート部の上面に回転ディスクを含んでおり、それにより、前記回転ディスクの持ち上げ及び回転動作は、前記ロック構造を解除するために前記リングを回転させる、ことを特徴とする請求項１に記載の折り畳み可能な椅子。
【請求項１０】
机展開位置と机収納位置とを有する折り畳み可能な机であって、該折り畳み可能な机は、
（Ａ）脚体として中心に配置される又は収納用に周辺的に配置される折り畳み可能な椅子を含む脚体部分
を含んでおり、該脚体部分は、
シート部；
シート部から下方へ伸びる入れ子式側壁であって、該入れ子式側壁は、異なる直径の複数のリングを含み、最上部のリングがシート部の底面に取り付けられ且つ最小の直径を有し、及び最下部のリングが最大の直径を有するように、連続的に配置されており、前記入れ子式側壁は、椅子が所望の高さに設定され且つロックされるように、完全に開いている或いは部分的に折り畳まれる展開位置と、完全に収縮した位置において全てのリングがシート部の底面に隣接して配置される収縮位置とを有するように構成され、ここでリングの各々は、高さを有し、且つ、隣接するリングに対して選択的に各リングをロックするロック構造を備えて構成された一体型ユニットである、入れ子式側壁；及び
異なる直径のリングに対しほぼ垂直である折り畳み可能な椅子の高さに沿って中心に配置されたセキュリティーロックであって、ロック構造を固定するように構成される、セキュリティーロック
を含み；及び
前記折り畳み可能な机は、
（Ｂ）それ自体で二分割に折り畳み可能であり、且つ、折り畳み可能な椅子の机展開位置にある折り畳み可能な椅子のシート部を机展開位置において受け入れるための少なくとも１つの中央ピンを備えた下面を有している、机部分
を含むことを特徴とする、折り畳み可能な机。
【請求項１１】
バネにより制御され且つ前記脚部を固定するように回転可能である安定化ロックを更に含む、ことを特徴とする請求項１０に記載の折り畳み可能な机。
【請求項１２】
前記下面には、机収納位置において少なくとも１つの折り畳み可能な椅子の前記シート部を受け入れるための少なくとも１つのピンもある、ことを特徴とする請求項１０に記載の折り畳み可能な机。
【請求項１３】
バネにより制御され且つ前記脚部を固定するように回転可能である安定化ロックを更に含む、ことを特徴とする請求項１２に記載の折り畳み可能な机。
【請求項１４】
前記２つのセグメントの各々の下面には、机収納位置において少なくとも１つの折り畳み可能な椅子の前記シート部を受け入れるための少なくとも１つのピンもある、ことを特徴とする請求項１０に記載の折り畳み可能な机。
【請求項１５】
バネにより制御され且つ前記机収納位置において前記少なくとも１つの折り畳み可能な椅子を固定するように回転可能である安定化ロックを更に含む、ことを特徴とする請求項１４に記載の折り畳み可能な机。
【請求項１６】
前記２つのセグメントの各々の下面には、机収納位置において少なくとも１つの折り畳み可能な椅子の前記シート部を受け入れるための少なくとも１つのピンもある、ことを特徴とする請求項１０に記載の折り畳み可能な机。
【請求項１７】
前記２つのセグメントの各々の下面には、机収納位置において２つの折り畳み可能な椅子の各々の前記シート部を受け入れるための２つのピンを含む、４つのピンもある、ことを特徴とする請求項１０に記載の折り畳み可能な机。
【発明の詳細な説明】
【技術分野】
【０００１】
発明の分野及び背景
本発明は、折り畳み可能な椅子及び折り畳み可能な机に関するものである。
【発明の概要】
【０００２】
本発明の１つの態様は折り畳み可能な椅子であって、該折り畳み可能な椅子は、シート部；シート部から下方へ伸びる入れ子式側壁であって、該入れ子式側壁は、異なる直径の複数のリングを含み、最上部のリングがシート部の底面に取り付けられ且つ最小の直径を有し、及び最下部のリングが最大の直径を有するように、連続的に配置されており、前記入れ子式側壁は、椅子が所望の高さに設定され且つロックされるように、完全に開いている或いは部分的に折り畳まれる展開位置と、完全に収縮した位置において全てのリングがシート部の底面に隣接して配置される収縮位置とを有するように構成され、ここでリングの各々は、隣接するリングに対して選択的に各リングをロックする、ロック構造を備えて構成された一体型ユニットである、入れ子式側壁；及び異なる直径のリングに対しほぼ垂直である折り畳み可能な椅子の高さに沿って中心に配置されたセキュリティーロックであって、ロック構造を固定するように構成される、セキュリティーロックを含む。
【０００３】
本発明の更なる態様は、机展開位置と机収納位置とを有している折り畳み可能な机であり、該折り畳み可能な机は、（Ａ）脚体として中心に配置される又は収納用に周辺的に配置される折り畳み可能な椅子を含む脚体部分を含んでおり、該脚体部分は、シート部；シート部から下方へ伸びる入れ子式側壁であって、該入れ子式側壁は、異なる直径の複数のリングを含み、最上部のリングがシート部の底面に取り付けられ且つ最小の直径を有し、及び最下部のリングが最大の直径を有するように、連続的に配置されており、前記入れ子式側壁は、椅子が所望の高さに設定され且つロックされるように、完全に開いている或いは部分的に折り畳まれる展開位置と、完全に収縮した位置において全てのリングがシート部の底面に隣接して配置される収縮位置とを有するように構成され、ここでリングの各々は、高さを有し、且つ、隣接するリングに対して選択的に各リングをロックするロック構造を備えて構成された一体型ユニットである、入れ子式側壁；及び異なる直径のリングに対しほぼ垂直である折り畳み可能な椅子の高さに沿って中心に配置されたセキュリティーロックであって、ロック構造を固定するように構成される、セキュリティーロックを含み；及び前記折り畳み可能な机は、（Ｂ）それ自体で二分割に折り畳み可能であり、且つ、机展開位置にある折り畳み可能な椅子のシート部を机展開位置において受け入れるための少なくともひとつの中央ピンを備えた下面を有している、机部分を含んでいる。
【０００４】
本発明のこれら及び他の特徴、態様、並びに利点は、以下の図面、説明、及び請求項を参照してより一層理解されるようになる。
【図面の簡単な説明】
【０００５】
様々な実施形態が添付の図面を参照してほんの一例として本明細書に記載されている。
【図１】本発明の一実施形態に従う、展開位置における折り畳み可能な椅子の正面図である。
【図２】本発明の一実施形態に従う、セキュリティーロックを示している図１の丸で囲まれた部分の拡大図である。
【図３】本発明の一実施形態に従う、セキュリティーロックのアクセス可能なアクチュエーターを示す、展開位置における折り畳み可能な椅子の端面図及び側面図である。
【図４】本発明の一実施形態に従う、解除された状態のセキュリティーロックを示す図３の丸で囲まれた部分の拡大図である。
【図５】本発明の一実施形態に従う、展開位置における折り畳み可能な椅子の端面図及び側面図である。
【図６】本発明の一実施形態に従う、ロックされた状態のセキュリティーロックを示す図５の丸で囲まれた部分の拡大図である。
【図７】Ａは、本発明の一実施形態に従う、折り畳み可能な椅子の最上部のリングの平面図である。Ｂは、本発明の一実施形態に従う、折り畳み可能な椅子の最上部のリングの斜視図である。Ｃは、本発明の一実施形態に従う、折り畳み可能な椅子の最上部のリングの正面図である。Ｄは、本発明の一実施形態に従う、折り畳み可能な椅子の最上部のリングの側面図である。
【図８Ａ】本発明の一実施形態に従う、鋼帯形状にした折り畳み可能な椅子のリングの平面図である。
【図８Ｂ】本発明の一実施形態に従う、鋼帯形状にした折り畳み可能な椅子のリングの正面図である。
【図８Ｃ】本発明の一実施形態に従う、鋼帯形状にした折り畳み可能な椅子のリングの斜視図である。
【図８Ｄ】本発明の一実施形態に従う、鋼帯形状にした折り畳み可能な椅子のリングの側面図である。
【図８Ｅ】本発明の一実施形態に従う、ピンと溝の模式図である。
【図９】本発明の一実施形態に従う、完全に収縮した位置における、且つハンドルを備えた折り畳み可能な椅子の等角図である。
【図１０】本発明の実施態様に従う、展開位置における折り畳み可能な椅子の斜視図である。
【図１１Ａ】本発明の一実施形態に従う、収縮した位置における椅子のケーブルを示す。
【図１１Ｂ】本発明の一実施形態に従う、アクチュエーターに連結されたカプラーによって、その下側部分に圧力がかけられた後のケーブルを示す。
【図１１Ｃ】本発明の一実施形態に従う、更に圧力が加えられた後のケーブルを示す。
【図１１Ｄ】本発明の更なる実施態様に従う、アクチュエーターによりねじられたケーブルを示す。
【図１２Ａ】本発明の実施態様に従う、下部と側部の角度から見た机の斜視図である。
【図１２Ｂ】本発明の実施態様に従い構成された、上部と側部の角度から見た図１２Ａの机の斜視図である。
【図１３】本発明の実施態様に従う、３つの収納された椅子を保持する図１２Ａ−図１２Ｂの折り畳まれた机の机部分を示す斜視図である。
【図１４】本発明の実施形態に従う、机と３つの椅子の斜視図である。
【図１５】本発明の実施態様に従う、ロック位置における３つの収納された椅子を保持する折り畳まれた机の机部分の斜視図である。
【図１６】本発明の実施態様に従う、解除された位置における３つの収納された椅子を保持する折り畳まれた机の机部分の斜視図である。
【図１７】本発明の実施態様に従う、折り畳まれた机の机部分、及び収納用の４つの椅子の分解斜視図である。
【発明を実施するための形態】
【０００６】
以下の詳細な説明は、本発明を実行する最良の現在考えられる様式である。詳細な説明は、限定する意味で解釈されるべきでないが、本発明の範囲が添付の請求項によって最良に定義されるため、本発明の一般的な原理を例示する目的でのみなされる。
【０００７】
本発明は概して、折り畳み可能な椅子、及び、幾つかの実施形態においては折り畳み可能な机を提供し、該折り畳み可能な机は、椅子がその展開位置にある場合には椅子を脚体として使用し、或いは、収縮位置にある場合には最大４つの折り畳み可能な椅子を収納するよう構成されている。折り畳み可能な椅子の特定の実施態様において、各々の折り畳み可能な椅子は、シート部、及びシート部から下方へ伸びる入れ子式側壁を含んでいる。入れ子式側壁は展開位置と収縮位置で構成され得る。展開位置において、入れ子式側壁は、椅子を所望の高さに設定することができるように完全に開かれ或いは部分的に折り畳まれるように構成され得る。側壁は、各々が異なる直径である複数のリングを含み、且つ、最上部のリングがシート部の底面に取り付けられて最小の直径を有し、一方で最下部のリングが最大の直径を有するように、連続的に配置されている。このように、収縮位置において、リングは互いの内側に連続的に配置され得る。例えば、完全に収縮した位置において、全てのリングが椅子部分の底面に隣接して配置される。幾つかの実施形態において、リングには、隣接するリングに対して選択的に各リングをロックするよう構成されたロック構造が設けられる。このようにして、展開位置において、リングは互いにロックされ、これにより連続的に伸長し、一方で収縮位置において、リングはロックされておらず、これにより椅子のシート部の底面の方へと折り畳むことができる。
【０００８】
非限定的な例によれば、ロック構造は、リングの各々に設けられた少なくとも１本のピン、及び隣接するリング上に対応する溝を含んでいる。溝は、リングの高さに沿って伸び、且つアーチ形のセグメントを含んでいる。ピンは、溝に沿って、アーチ形のセグメントの内側へ及び外側から摺動するように構成されている。ピンがアーチ形のセグメントへ配置されると、ピンは２つの隣接したリングを互いに対しロックし、隣接するリングに対して横へとリングを回転させることで、ピンはアーチ形のセグメントから摺動し、リングのロックを解除する。更に溝に沿ってピンを摺動させることで、リングが折り畳まれる。ピンがアーチ形のセグメント中に維持されるよう、各ピンは、スナップカップリング用に構成された上部を備えている。
【０００９】
幾つかの実施形態において、椅子には、リングを互いに対して回転させるための作動機構が設けられている。例えば、作動機構は、最上部のリングに連結されたシート部の底面上に回転ディスクを含んでいる。回転ディスクの回転により、リングが回転し、リングのロック又は解除が可能になる。
【００１０】
１つの例によれば、リングの各々は一体型ユニットである。リングの１つの非限定的な実装において、リングの一体型ユニットは一体的に連結されたセグメントであり、各セグメントには、隣接するリングの対応するピンへの連結用の溝を設けることができる。
【００１１】
本発明は更に、折り畳み可能な机部分と、机用の脚体として取り付けられる折り畳み可能な椅子とを備えた、折り畳み式の机を提供する。机部分は、範囲を定められた区域が間に形成されるように、ヒンジを用いて一方が他方の上に折り畳まれるよう構成された、２つのセグメントを含む。範囲を定められた区域は、収縮位置において折り畳み可能な椅子を収容し且つ収納位置においてそれら最大４つの椅子を保持するように構成された１対のピンで構成される。
【００１２】
折り畳み式の机は更に、机部分に、収縮位置の折り畳み可能な椅子である机の脚体をロックする、及び、収納位置における机部分に収納された椅子を保持するためのロック構成を備え得る。
【００１３】
折り畳み可能な椅子の原理と操作は、図面と付随する記載とを参照することでより良く理解することができる。
【００１４】
図１−１１Ｄに見られるように、一実施形態において、本発明は、シート部（２０）、及び、シート部（２０）から下方へ伸長する入れ子式側壁（３０）を含む、折り畳み可能な椅子（１０）である。入れ子式側壁（３０）は、最上部のリング（４１）がシート部（２０）の底面（２２）に取り付けられ且つ最小の直径を有し、及び最下部のリング（４９）が最大の直径を有するように、連続的に配置することができる。１つの非限定的なオプションにおいて、シート部（２０）はクッション又はパッドが付いていてもよい。
【００１５】
入れ子式側壁（３０）は、完全に収縮された位置においてリング（４０）の全てがシート部（２０）の下面に隣接して配置されるように完全に開いている、又は部分的に折り畳まれる展開位置を有するように構成されており（図１と１０を参照）、リング（４０）の各々は、隣接するリング（４０）に対して各リング（４０）を選択的にロックするロック構成（５０）で構成された一体型ユニットである。
【００１６】
図１から見られるように、典型的に、シート部（２０）は、着座位置にある人を収容するために最上部のリング（４１）の直径よりも大きな直径を有する。
【００１７】
椅子（１０）はまた、異なる直径のリング（４０）に対しほぼ垂直である折り畳み可能な椅子（１０）の高さ（Ｈ）に沿って中心に配置されたセキュリティーロック（６０）を備えてもよく、セキュリティーロック（６０）はロック構造（５０）を固定するように構成される。
【００１８】
幾つかの実施形態において、セキュリティーロック（６０）は、折り畳み可能な椅子（１０）の高さにわたり（幾つかの実施形態において、その高さのほぼ全体にわたり）バネ（６３）内に中心的に配置され、且つ、展開位置と収縮位置の両方においてシート部（２０）を最下部のリング（４９）に接続する、可撓性ケーブル（６２）を含んでおり、最下部のリング（４９）はユーザーへとアクセス可能なアクチュエーター（６４）を有しており、ここでカプラー（６６）は、アクチュエーター（６４）を作動させるユーザーが、可撓性ケーブル（６２）に対し圧力を解放することによりセキュリティーロック（６０）を解除するように、ケーブル（６２）にアクチュエーター（６４）を連結する。椅子（１０）の高さは、リング（４０）の直径にほぼ垂直な、シート部（２０）から最下部のリング（４９）におよぶ方向を指す。特定の実施形態において、ケーブル（６２）の上部はシート部（２０）に接続される。特定の実施形態において、ケーブル（６２）はループ、場合によっては閉ループである。一実施形態において、ケーブル（６２）は、それに加えられた力が取り除かれた後に元の形状に戻るという意味で、弾性である。
【００１９】
図１１Ｂ−１１Ｃは、アクチュエーター（６４）がカプラー（６６）を利用してケーブル（６２）の中央部分を凹ませて、ケーブル（６２）に対する圧力を増加させセキュリティーロック（６０）を作動させる一実施形態を示す。逆回転はセキュリティーロック（６０）のロックを解除する。
【００２０】
図１１Ｄは、アクチュエーター（６４）がケーブル（６２）の下端に接続され、アクチュエーター（６４）の回転がケーブル（６２）をねじって短くし、これに対する圧力をもたらすことでケーブル（６２）をより堅くし、それによりセキュリティーロック（６０）を作動させる、別の実施形態を示す。逆回転はセキュリティーロック（６０）のロックを解除する。
【００２１】
セキュリティーロック（６０）は、その完全に又は部分的に収縮した（部分的に展開した）位置において椅子（１０）を安定させ、且つ、その締め付け、ぐらつき、又は破損を妨げる、安定装置でもあることに、留意されたい。
【００２２】
図１１Ａは、椅子（１０）が収縮位置にあるとき、ケーブル（６２）が椅子（１０）のシート部（２０）に嵌合する、ケーブル（６２）を示す。
【００２３】
展開位置（図１、図１０）において、リング（４０）は互いに対してロックされ、これにより折り畳み可能な椅子（１０）の高さを連続的に伸ばし、一方で収縮位置（図９）において、リング（４０）はロックを解除され、シート部（２０）の底面に向かって折り畳み可能となる。
【００２４】
一実施形態において、ロック構成（５０）は、最上部のリング（４１）以外の各リング（４０）に関して、ピン（５２）（図７Ａ、７Ｂ、７Ｃ、及び７Ｄを参照）、及び、リング（４０）の各々に溝（５４）を含み、これにより、ピン（５２）が隣接するリング（４０）上の対応する溝（５４）に嵌合する。このことは、ピン（５２）のみを有しているが、その下のリング（４０）にしか隣接していないことから溝（５４）を有していない最上部のリング（４１）を除いて当てはまる。幾つかの実施形態において、図８Ｂ及び図８Ｃに最もよく見られるように、溝（５４）はリング（４０）の高さに沿って伸び、アーチ形のセグメント（５４Ａ）を含んでおり、ここで、隣接するリング（４０）のピン（５２）は、溝（５４）に沿ってアーチ形のセグメント（５４Ａ）の中と外を摺動するように構成される。
【００２５】
幾つかの実施形態において、図７Ａ、図７Ｂ、図７Ｃ、及び図７Ｄから見られるように、最上部のリング（４１）はピン（５２）を含むが、スロット／溝（５４）を含まない。
【００２６】
ピン（５２）は、２つの隣接するリング（４０）を互いに対してロックするように、アーチ形のセグメント（５４Ａ）中に配置することができ、隣接するリングに対して横方向の第１のリング（４０）の回転により、ピン（５２）はアーチ形のセグメント（５４Ａ）から摺動し、第１のリング（４０）のロックを解除し、ここで、溝（５４）に沿ってピン（５２）が更に摺動することで、第１のリング（４０）が折り畳まれる。
【００２７】
図９と図１０に見られるように、ロック構成（５０）は、互いに対してリング（４０）を回転させ、これによりロック構成（５０）を解除するための作動機構（５９）を含み得る。非限定的な一例において、作動機構（５９）は、回転ディスク（５９）の引張及び回転動作によりリング（４０）を回転させてロック構成を解除するように、最上部のリング（４１）に連結されたシート部（２０）の上面に回転ディスク（５９）を含む、又は備えている。図９に示されるように、椅子（１０）は一体型の携帯ストラップ（９９）を含み得る。
【００２８】
図１２Ａ、図１２Ｂ、図１３、図１４、図１６、及び図１７に示される本発明の別の実施形態において、本発明は、机展開位置と、机収納位置とを有する折り畳み可能な机（１００）である。折り畳み可能な机（１００）は、（Ａ）折り畳み可能な机（１００）の脚体として中心的に位置付けられる、或いは、折り畳み可能な机の机部分の下側への収納のために周辺に位置付けられる、折り畳み可能な椅子（１０）を含む脚部（１０）を含んでいる。
【００２９】
各折り畳み可能な椅子（１０）は、机（１００）の脚部（１０）として使用され、或いは、収納された椅子（１０）は既に上述した椅子（１０）の任意の適切なバージョンであってもよい。非限定的な一例において、各折り畳み可能な椅子（１０）は、シート部（２０）；シート部から下方へ伸びる入れ子式側壁（３０）であって、該入れ子式側壁は、異なる直径の複数のリングを含み、最上部のリング（４１）がシート部（２０）の底面に取り付けられ且つ最小の直径を有し、及び最下部のリング（４９）が最大の直径を有するように、連続的に配置されており、前記入れ子式は、椅子（１０）が所望の高さに設定され且つロックされるように、完全に開いている或いは部分的に折り畳まれる展開位置と、完全に収縮した位置において全てのリング（４０）がシート部の底面に隣接して配置される収縮位置とを有するように構成され、ここでリングの各々は、高さを有し、且つ、隣接するリング（４０）に対して選択的に各リング（４０）をロックするロック構造を備えて構成された一体型ユニットである、入れ子式側壁；及び異なる直径のリング（４０）に対しほぼ垂直である折り畳み可能な椅子（１０）の高さに沿って中心に配置されたセキュリティーロック（６０）であって、ロック構造を固定するように構成される、セキュリティーロック（６０）を含み得る。
【００３０】
折り畳み可能な机（１００）は更に、それ自体で二分割に折り畳み可能であり、且つ、折り畳み可能な椅子（１０）の展開位置にある折り畳み可能な椅子のシート部を机展開位置において受け入れるための少なくともひとつの中央ピン（１２０）を備えた下面を有している、机部分（１１０）を含み得る。
【００３１】
図１２Ａ、更には図１７に示される１つの非限定的な実装において、机部分（１１０）は、机部分（１１０）の各セグメント（１１２）（１１４）（共に、机部分（１１０）の下側部を備えている）の下側にある２つの中央ピン（１２０）の他、第１の完全に収縮された椅子（１０）及び第２の完全に収縮された椅子（１０）を受け入れるための２対の周辺ピン（１３０）（中央ピン（１２０）よりも周辺的に位置していることから「周辺」と呼ばれる）を有している。
【００３２】
中央ピン（１２０）及び周辺ピン（１３０）は、バネにより制御され、且つ、脚部として機能する展開した椅子を固定する、或いは机（１００）により収納される収縮された椅子（１０）を固定するように回転可能である、ピンに取り付けられた安定化ロック（１４０）を有している。図１２Ａに見られる１つの実装において、安定化ロック（１４０）は、中央ピン（１２０）上に据え付けられ且つ脚部（１０）に対して旋回する、アーチ形の回転可能部分を有している。同様に、図１３及び図１５に見られるように、安定化ロック（１４０）は、周辺ピン（１３０）上に据え付けられ、収縮された椅子（１０）を遮断するために図１６のその位置から旋回する。
【００３３】
図１４は、机（１００）の脚部（１０）として機能する椅子（１０）を示し、且つ、机（１００）の周りに座る人用に使用可能な３つの椅子（１０）も図示する。ユーザーが椅子及び机（１００）を使用し終えると、机（１００）の脚部として示されるこれら３つの椅子及び４つの椅子は、机部分（１１０）が２つのセグメント（１１２）（１１４）へと折り畳まれる前後に、机部分（１１０）の下側に収納され得る。
【００３４】
従って、幾つかの実施形態において、机部分（１１０）の下側はまた、机収納位置において少なくとも１つの折り畳み可能な椅子のシート部を受け入れるための少なくとも１つの中央ピン（１２０）を有している。幾つかの実施形態において、机（１００）は、（バネ収容部（１４１）内の）バネにより制御され、且つ脚部を固定するように回転可能である、安定化ロック（１４０）を含む。
【００３５】
幾つかの実施形態において、２つのセグメント（１１２）（１１４）の各々の下面はまた、机収納位置において少なくとも１つの折り畳み可能な椅子（１０）のシート部を受け入れるための少なくとも１つのピン、例えば少なくとも１つの周辺ピンを有している。幾つかの実施形態において、机（１００）はまた、バネにより制御され、且つ机収納位置において少なくとも１つの折り畳み可能な椅子を固定するように回転可能である、更なる安定化ロック（１４０）を有している。１つのバージョンにおいて、２つのセグメント（１１２）（１１４）の各々の下面はまた、机収納位置において少なくとも１つの折り畳み可能な椅子（１０）のシート部を受け入れるための少なくとも１つのピン、例えば少なくとも１つの周辺ピン（１３０）を有している。２つのセグメントの各々の下側は、机収納位置において２つの折り畳み可能な椅子の各々のシート部を受け入れるためのピンの対を含む、２対のピンを有し得る。
【００３６】
本発明は限られた数の実施形態に関して記載されてきたが、多くの変形、修正、及び本発明の他の用途が行われ得ることが認識されるであろう。それ故、以下の特許請求の範囲内に挙げられる、請求された発明は、本明細書に記載される実施形態に限定されない。
【図１−２】
2020527056.tif 000003
【図３】
2020527056.tif 000004
【図４】
2020527056.tif 000005
【図５】
2020527056.tif 000006
【図６】
2020527056.tif 000007
【図７】
2020527056.tif 000008
【図８Ａ】
2020527056.tif 000009
【図８Ｂ】
2020527056.tif 000010
【図８Ｃ】
2020527056.tif 000011
【図８Ｄ】
2020527056.tif 000012
【図８Ｅ】
2020527056.tif 000013
【図９】
2020527056.tif 000014
【図１０】
2020527056.tif 000015
【図１１Ａ】
2020527056.tif 000016
【図１１Ｂ】
2020527056.tif 000017
【図１１Ｃ】
2020527056.tif 000018
【図１１Ｄ】
2020527056.tif 000019
【図１２Ａ】
2020527056.tif 000020
【図１２Ｂ】
2020527056.tif 000021
【図１３】
2020527056.tif 000022
【図１４】
2020527056.tif 000023
【図１５】
2020527056.tif 000024
【図１６】
2020527056.tif 000025
【図１７】
2020527056.tif 000026
【国際調査報告】
2020527056.tif 000027